(57)【要約】【課題】  監視カメラの機能増加により、評価期間及び、不具合発生時の原因究明までの時間が増加する傾向にあることから、それらの時間を短縮する。【解決手段】  監視カメラ１１に不揮発性の内部メモリ１３を用意し、内部動作を常に保存する。また、操作履歴情報を操作されるたび、カメラの設定値と一つ前の設定値を設定変更されるたびに内部メモリ１３に保存し、常に最新の状態を保つようにする。その保存した内容は、保守システム３１からネットワーク２１を経由して任意の時に取得可能とする。解析部３３では、文字列で内部動作情報を表示するだけでなく、内部動作順や動作タイミングが視覚的に判るようにグラフ表示する。【選択図】図１
2012023644.tif 000002
【特許請求の範囲】
【請求項１】
不揮発性内部メモリと、
前記不揮発性内部メモリに内部動作情報、操作履歴情報、現在のカメラの設定値、一つ前のカメラの設定値を保存する制御部と、
ネットワーク経由で送信された不揮発性内部メモリデータ送信要求を受信して前記制御部に伝え、前記制御部の制御により、前記送信要求してきた機器に対して、前記不揮発性内部メモリのデータを出力する通信部と、を備えた監視カメラにおいて、
前記内部動作情報は、前記不揮発性内部メモリの内部動作情報保存領域に前記制御部が追記し、容量を超えるときには最古の情報から上書きし、
前記操作履歴情報は、カメラが操作された際に前記制御部が前記不揮発性内部メモリの操作履歴情報保存領域に追記し、容量を超えるときには最古の情報から上書きし、
前記現在のカメラの設定値と前記一つ前のカメラの設定値は、カメラの設定値が変更された際に変更後の全設定値を前記不揮発性内部メモリの現在のカメラの設定値保存領域に前記制御部が保存し、変更前の全設定値を前記不揮発性内部メモリの一つ前のカメラの設定値保存領域に保存すること、を特徴とする監視カメラ。
【請求項２】
請求項１記載の監視カメラにおいて、取り外し可能な不揮発性外部メモリを備え、前記監視カメラがエラーを検知したとき、操作されたとき、及び設定値が変更されたときに、前記不揮発性内部メモリに保存されている前記内部動作情報、前記操作履歴情報、前記現在のカメラの設定値情報、及び前記一つ前のカメラの設定値情報を前記不揮発性外部メモリに保存し、前記通信部はネットワーク経由で送信された前記不揮発性外部メモリデータ送信要求を受信して前記制御部に伝え、前記制御部の制御により、前記送信要求してきた機器に対して前記不揮発性外部メモリのデータを送信することを特徴とする監視カメラ。
【請求項３】
請求項１または請求項２記載の監視カメラにおいて、前記不揮発性内部メモリの領域構造を変更可能とし、前記一つ前のカメラの設定値の保存領域の他、二つ前のカメラの設定値保存領域や三つ前のカメラの設定値保存領域を用意し、二つ前のカメラの設定値や三つ前のカメラの設定値を前記不揮発性内部メモリに保存することを特徴とする監視カメラ。
【請求項４】
請求項１〜請求項３に記載されたいずれかの監視カメラの前記通信部とネットワーク経由で接続され、前記不揮発性内部メモリデータ送信要求や前記不揮発性外部メモリデータ送信要求を送信し、前記不揮発性内部メモリや前記不揮発性外部メモリのデータを受信する通信部と、その取得したデータを解析する解析部を備えた監視カメラシステムにおいて、
前記解析部は、前記内部動作情報、前記操作履歴情報、前記現在のカメラの設定値、および前記一つ前のカメラの設定値を読み込みテキストで時系列に並べて出力することができ、前記内部動作情報に関しては前記テキストでの表示に加えて、内部処理の流れを表すグラフとしても表示することを特徴とする監視カメラシステム。
【発明の詳細な説明】
【技術分野】
【０００１】
本発明は、監視カメラに係り、特にその内部処理情報を確認するに好適な監視カメラ、及び監視カメラシステムに関する。
【背景技術】
【０００２】
近年、ネットワークに対応した監視カメラの需要が高まっている。そして、通信に対応していることもあり、従来まで主流であったアナログカメラに比べ、搭載される機能が増加してきており、内部処理も複雑になっている。その結果、カメラ出荷前に評価しなければならない項目が増え、不具合が発生した際に調査しなければならない範囲が増加し、不具合の原因を突き止めるまでにかかる時間も増大してきている。
【０００３】
その解決策としては、不具合の発生時に迅速に対応できるように、カメラの動作情報や操作の履歴などをカメラに保存しておくことが知られている(特許文献１及び２)。特許文献１では、オートパン動作時間、電源オン時間、監視カメラ装置内の温度、プリセット動作回数、カメラのフィルタの切替え動作回数や座標系リセット回数などの情報を保存している。特許文献２では、エラーが発生した際に、カメラの動作情報などを不揮発性メモリに保存している。
【先行技術文献】
【特許文献】
【０００４】
【特許文献１】特開２００１−１００２８１号公報
【特許文献２】特開２００５−３３３２５号公報
【発明の概要】
【発明が解決しようとする課題】
【０００５】
特許文献１では固有イベントの回数や時間のみを保存しており、特許文献２ではエラー発生時のみ情報を保存しているため、いずれも保存する情報が不足し、カメラがエラーと判断した場合や、特定のイベントが発生した場合のみしか必要な情報を得ることができない。
【０００６】
そのため、カメラがエラーと判断できないような不具合を早期に見つけることができず、不具合を見つけても原因究明に時間を要することになる。また、カメラの動作情報を見て解析する際に、文字列で表示されている時刻や内容からでは迅速に解析することが出来ず、時間も掛かることになる。
【０００７】
本発明はこのような課題に鑑みてなされたもので、その目的とするところは、監視カメラの内部動作情報を詳細に確認することができ、迅速な動作解析等が可能な監視カメラ、及びネットワークシステムを利用した監視カメラシステムを提供することにある。
【課題を解決するための手段】
【０００８】
前記目的を達成するための本発明の特徴は、不揮発性内部メモリと、前記不揮発性内部メモリに内部動作情報、操作履歴情報、現在のカメラの設定値、一つ前のカメラの設定値を保存する制御部と、ネットワーク経由で送信された不揮発性内部メモリデータ送信要求を受信して前記制御部に伝え、前記制御部の制御により、前記送信要求してきた機器に対して、前記不揮発性内部メモリのデータを出力する通信部と、を備えた監視カメラにおいて、前記内部動作情報は、前記不揮発性内部メモリの内部動作情報保存領域に前記制御部が追記し、容量を超えるときには最古の情報から上書きし、前記操作履歴情報は、カメラが操作された際に前記制御部が前記不揮発性内部メモリの操作履歴情報保存領域に追記し、容量を超えるときには最古の情報から上書きし、前記現在のカメラの設定値と前記一つ前のカメラの設定値は、カメラの設定値が変更された際に変更後の全設定値を前記不揮発性内部メモリの現在のカメラの設定値保存領域に前記制御部が保存し、変更前の全設定値を前記不揮発性内部メモリの一つ前のカメラの設定値保存領域に保存することにある。
【０００９】
更には、取り外し可能な不揮発性外部メモリを用いた監視カメラ、ネットワークシステムを利用した監視カメラシステム等の特徴については、後述する実施の態様で詳述する。
【発明の効果】
【００１０】
本発明によれば、内部動作情報を常に不揮発性内部メモリに保存しており、その情報を任意に取得可能としているので、いつでも内部動作情報を使用して動作確認・解析を行うことができるようになり、製品の品質を向上させることが出来る。また、早期に不具合を見るけることができ、原因究明も迅速に行うことができるので、不具合が解決するまでの時間を短縮させることができる。
【００１１】
そして、外部不揮発性メモリにも保存しておく場合は、過去の内部動作情報、操作履歴、設定値等も詳細に知ることができるため、これらを基に解析を行うこともできる。
【００１２】
また、評価や解析する際に、内容をテキストで表示するだけでなく、グラフ化して表示する場合は、動作の流れを把握しやすく、本来周期的に動作しているはずの内部動作が異常な動作となっているかどうかの判断等も容易となり、動作確認時間・解析時間を短縮することができる。
【図面の簡単な説明】
【００１３】
【図１】本発明の一実施例に係る監視カメラシステムの構成図である。
【図２】本発明の不揮発性内部メモリのデータ構造例を示す図である。
【図３】本発明の内部動作情報のデータ構造例を示す図である。
【図４】本発明の操作履歴情報のデータ構造例を示す図である。
【図５】本発明の内部メモリ内に二つ前の設定値保存領域を追加した例を示す図である。
【図６】本発明の解析部における内部動作情報のテキスト表示例を示す図である。
【図７】本発明の解析部における内部動作情報のグラフ表示例を示す図である。
【図８】本発明の解析部における操作履歴情報の表示例を示す図である。
【図９】本発明の解析部における現在及び一つ前のカメラ設定値の表示例を示す図である。
【発明を実施するための形態】
【００１４】
以下、本発明の実施の形態について図を参照して説明する。
【００１５】
図１に本発明の一実施例に係る監視カメラシステムの構成図を示す。図１の監視カメラシステムは、取り外し可能な不揮発性の外部メモリ１２、不揮発性の内部メモリ１３を備え、その不揮発性外部メモリ１２や不揮発性内部メモリ１３のデータをネットワーク２１経由で出力できる通信部１４、そして不揮発性の内部メモリ１３にデータの書き込み、不揮発性内部メモリ１３から不揮発性外部メモリ１２へデータの転送を行う制御部１５を備えている監視カメラ１１と、ネットワーク２１に接続可能であり、監視カメラ１１の不揮発性外部メモリ１２や不揮発性内部メモリ１３のデータを受け取ることができる通信部３２と、受け取ったデータの解析を行う解析部３３を備えている保守システム３１で構成されている。
【００１６】
また、保守システム３１の通信部３２は監視カメラ１１の通信部１４へ不揮発性外部メモリ１２や不揮発性内部メモリ１３のデータ送信要求を出し、監視カメラ１１の通信部１４は要求を受け取ると制御部１５の制御により、監視カメラ１１の通信部１４が保守システム３１の通信部３２にデータを送信する。
【００１７】
監視カメラ１１の制御部１５は、常に不揮発性内部メモリ１３の内部動作情報保存領域１００に内部動作情報を書き込み追記していき、領域の容量がなくなったら最古のものから上書き保存していく。また、制御部１５は操作履歴情報を監視カメラ１１が操作される度に不揮発性内部メモリ１３の操作履歴情報保存領域１０１に追記してき、領域の容量がなくなったら最古のものから上書き保存していく。
【００１８】
そして、現在のカメラの設定値と一つ前のカメラの設定値を設定値が変更されるたびに不揮発性内部メモリ１３の現在のカメラの設定値領域１０２に変更後の全設定値、一つ前のカメラの設定値保存領域１０３に変更前の全設定値を制御部１５の制御により保存する。このように保存することで、保存しておく情報を常に最新の状態にしておくことができる。
【００１９】
監視カメラ１１がエラーを検知した場合、監視カメラ１１が操作された場合、もしくは監視カメラ１１の設定値が変更された場合には、不揮発性内部メモリ１３から不揮発性外部メモリ１２に制御部１５の制御により全てのデータを渡すことで、不揮発性外部メモリ１２に過去の情報を保持しておくことができる。
【００２０】
また、保守システム３１は任意の時にネットワーク２１経由で、不揮発性内部メモリ１３や不揮発性外部メモリ１２のデータを取得することができ、解析部３３で取得したデータを解析することができる。このことで、常にカメラの最新の情報を任意の時に取得することができデータの解析を行うことができ、不具合の早期発見にも繋げることができる。
【００２１】
図２に不揮発性内部メモリ１３の構造と保存されているデータ例を示す。不揮発性内部メモリ１３内に内部動作情報保存領域１００、操作履歴情報保存領域１０１、現在の設定値保存領域１０２、一つ前の設定値保存領域１０３が用意されており、それぞれの領域にデータが保存されている。
【００２２】
図３に内部動作情報の保存内容を示し、図４に操作履歴情報の保存内容を示す。内部動作情報は6バイトで構成されており、タスクID１１０が1バイトであり「00〜FF」まで合計256個タスクを定義でき、前のログとの相対時刻（経過時間）１１１が1バイト、動作ID１１２が2バイトで動作内容が定義されているIDが入っている。そして、エラーID１１３が2バイトとなっておりエラー内容が定義されているIDが入っており、最後に最終更新時刻を実時間(年月日時分秒ミリ秒)で保存する。
【００２３】
図４の操作履歴情報は実時間１２０が17バイトであり、年月日時分秒ミリ秒の形式で実時間を入れている。そして、操作ID１２１が2バイトとなっており、操作内容が定義されているIDが入っている。現在の設定値と一つ前の設定値は、設定値に対応するIDが決められた順番で保存され、それぞれ最後に更新時刻が年月日時分秒ミリ秒の形式で入る。
【００２４】
図2の不揮発性内部メモリ１３のデータ例では、それぞれ上から明るさ、コントラスト、色レベル、シャッター速度という順番でIDが入っており、明るさの設定値が変更された場合の例である。
【００２５】
また、不揮発性内部メモリ１３の構造は任意に変更することができ、二つ前の設定値を保存したい場合には、図５のように二つ前の設定値保存領域１０４を追加して領域の構造を変更することで実現することができ、さらに追加したい場合には、三つ前や四つ前の設定値保存領域を作成することで実現することが出来る。さらに、内部動作情報保存領域１００、操作履歴情報保存領域１０１、現在の設定値保存領域１０２、一つ前の設定値保存領域１０３の構造は必要に応じて変更することができる。このようにすることで、保存したい項目に応じて柔軟に対応することができる。
【００２６】
図６は解析部３３において、取得した内部動作情報をテキストで表示させた場合の一例を示す。表示の際には、時間１３０の欄に動作した時刻を最終更新時刻と相対時刻１１１から計算し年月日時分秒ミリ秒で表示させている。そして、タスク名１３１にタスクID１１０の内容、動作内容１３２に動作ID１１２の内容、エラー情報１３３にエラーID１１３の内容をそれぞれテキスト表示させている。
【００２７】
図７には記録されている内部動作情報をグラフで表示させた一例を示す。横軸を経過時刻とし、その時間に動作しているタスクを黒線で表し、一番古いログを0ミリ秒としている。このように視覚化させることで、本来周期的に動作している内部処理が、周期的になっていないなどの異常状態をテキスト表示させた場合よりも容易に見つけることができるため、解析の効率が上がる。
【００２８】
図８は解析部３３において、記録されている操作履歴情報を表示させた際の一例である。時系列で実時間と共にカメラの操作履歴を表示しており、この例では最初にIPアドレスが変更され、次にSDカードが装着され、最後に明るさの設定が変更されている。そのため、上からIPアドレスを変更した際の履歴、外部メモリが装着された際の履歴、明るさの設定変更を行った履歴が表示さている。
【００２９】
図９は解析部３３において、現在のカメラの設定値、一つ前のカメラの設定値を表示させた際の一例を示す。それぞれの設定値を一覧表示させており、この例では、明るさの設定値を４から５に変更した際の履歴を示している。また、NOWに現在の設定値、OLDに一つ前の設定値が入っており、NOWに明るさを設定した際の時刻、OLDにIPアドレスを設定した際の時刻がそれぞれ入っている。
【００３０】
以上述べたように、本実施例によれば、内部処理の詳細が分かるように、常に不揮発性の内部メモリに内部動作情報が保存され、操作履歴情報をカメラが操作されるたびに、現在のカメラの設定値、一つ前のカメラの設定値等の履歴も保存される。これにより、全ての情報を最新の状態で保持することができる。
【００３１】
また、カメラ内部でエラーが発生した場合や、カメラが操作された場合、カメラの設定値が変更された場合には、不揮発性の内部メモリから不揮発性の外部メモリに内部メモリ内のデータ全てが転送され、不揮発性の外部メモリにも保存する。そして、不揮発性内部メモリ・不揮発性外部メモリに保存されているデータは、任意の時にネットワーク経由で取得可能となる。
【００３２】
また監視カメラの動作を解析する際には、内部動作情報を表示する際にテキストで時間や動作内容を表示するだけでなく、グラフ化して動作の流れを視覚的に表示することができるので、動作の流れを容易に把握することができ、原因究明、更には不具合を解決するまでの時間を短縮することができる。
【符号の説明】
【００３３】
１１・・・監視カメラ
２１・・・ネットワーク
３１・・・保守システム
１１０・・・タスクID
１１１・・・相対時刻
１１２・・・動作ID
１１３・・・エラーID
１２０・・・実時間
１２１・・・操作ID
１３０・・・時間
１３１・・・タスク名
１３２・・・動作内容
１３３・・・エラー情報
【図１】
2012023644.tif 000003
【図２】
2012023644.tif 000004
【図３】
2012023644.tif 000005
【図４】
2012023644.tif 000006
【図５】
2012023644.tif 000007
【図６】
2012023644.tif 000008
【図７】
2012023644.tif 000009
【図８】
2012023644.tif 000010
【図９】
2012023644.tif 000011